(57)【要約】【課題】外国貨幣の金額を簡単な操作で視覚的な表現に変換し、容易に外国貨幣を判別できるようにすることで、外国の言語や外国貨幣に不慣れな使用者が外国の貨幣を間違いなく取り扱えるような情報処理装置、情報処理方法、及びプログラムを提供する。【解決手段】情報処理装置１の使用者により金種計算の対象国名と対象金額が指定されると、指定された対象国名と対象金額及び通貨単位を液晶表示装置２に表示する。そして、金種計算プログラム４４が国名、貨幣コード、額面等からなる金種テーブル５４を索引して指定された国名の対象金額と等価となる貨幣別の枚数を算出する。算出された貨幣別枚数を、指定国名に該当する予め画像ファイル５６に登録されている貨幣の縮小画像に対応させて表示する。【選択図】      図１１
2004206359.tif 000002
【特許請求の範囲】
【請求項１】
各国で発行された貨幣の貨幣画像情報と金種情報とを対応させて記憶した金種情報記憶手段と、
金種計算対象の金額を指定する金額指定手段と、
この指定手段によって指定された金額と等価となる貨幣毎の枚数情報を前記金種情報記憶手段に記憶された金種情報に基づいて算出する貨幣枚数算出手段と、
この貨幣枚数算出手段によって算出された貨幣毎の枚数情報を前記金種情報記憶手段に記憶されている前記算出された貨幣の貨幣画像情報に対応させて表示する金種表示手段と、
を備えたことを特徴とする情報処理装置。
【請求項２】
更に、前記各国のうち前記金種計算対象となる国を指定する国指定手段を備え、
前記金種表示手段は、更に、前記国指定手段で指定された国で流通している貨幣画像情報を前記金種情報記憶手段から読み出して一覧表示することを特徴とする請求項１記載の情報処理装置。
【請求項３】
前記金種情報記憶手段に記憶される貨幣画像情報は、貨幣の縮小画像とこの縮小画像より精細な精細画像とを含み、
前記金種表示手段は、前記縮小画像を用いて一覧表示を行うと共に、一覧表示された縮小画像を前記精細画像に切替表示する表示制御手段を更に備えていることを特徴とする請求項２記載の情報処理装置。
【請求項４】
更に、金額を含む文字列を表示する文表示手段を備え、
前記金額指定手段は前記文表示手段によって表示された文字列に含まれる金額を金種計算対象の金額として指定することを特徴とする請求項１に記載の情報処理装置。
【請求項５】
更に、前記金額指定手段で指定された金額よりも大きい金額を入力する金額入力手段と、
この金額入力手段によって入力された金額から前期金額指定手段で指定された金額との差額を釣銭金額として算出する釣銭金額算出手段と、
この釣銭金額算出手段によって算出された前記釣銭金額と等価になる貨幣毎の釣銭枚数情報を算出する釣銭枚数算出手段と、
この釣銭枚数算出手段で算出された枚数情報を表示する釣銭枚数表示手段と、
を備えたことを特徴とする請求項１に記載の情報処理装置。
【請求項６】
更に、前記釣銭枚数情報を貨幣の貨幣画像情報に対応させて表示させる釣銭画像表示手段を備えていることを特徴とする請求項５に記載の情報処理装置。
【請求項７】
各国で発行された貨幣の貨幣画像情報と金種情報とを対応させて記憶した金種情報記憶手段と、
金種計算対象の金額を指定する指定手段と、
この指定手段によって指定された金額と等価となる貨幣毎の枚数情報を前記金種情報記憶手段に記憶された金種情報に基づいて算出する貨幣枚数算出手段と、
この貨幣枚数算出手段によって算出された貨幣毎の枚数情報が正数か否かを判別する枚数判別手段と、
この枚数判別手段により正数と判別された貨幣毎の枚数情報を前記金種情報記憶手段に記憶されている前記算出された貨幣の貨幣画像情報に対応させて表示する表示手段と、
を備えたことを特徴とする情報処理装置。
【請求項８】
コンピュータに、
各国で発行された貨幣の貨幣画像情報と金種情報とを対応させて記憶する処理と、
金種計算対象の金額の指定を行う処理と、
この指定された金額と等価となる貨幣毎の枚数情報を金種情報に基づいて算出を行う処理と、
この算出された貨幣毎の枚数情報を前記算出された貨幣の貨幣画像情報に対応させて表示を行う処理と、
を行わせるためのプログラム。
【発明の詳細な説明】
【０００１】
【発明が属する技術分野】
本発明は、貨幣の金種計算の機能を備えた情報処理装置及びプログラムに関する。
【０００２】
【従来の技術】
従来、物品の購入や役務への対価として一定金額を支払うような場合、貨幣の種類毎、すなわち金種毎に何枚ずつ支払えばよいのかを演算する金種演算装置が知られており、例えば、一定金額の全体の支払い枚数が最小枚数になるように演算したり、特定の金種を指定してその金種で一定金額を支払うようにすることが知られている（例えば特許文献１を参照。）。
また、外国の通貨に関しては、自国の通貨を外国の通貨にレート換算したり、或いはその逆にレート換算する技術も知られている（例えば特許文献２を参照。）。
【０００３】
【特許文献１】
特開平０１−２１４９９４号公報
【特許文献２】
特開２００２−８３１４３号公報
【０００４】
【発明が解決しようとする課題】
しかしながら、外国で旅行者が買い物などを行う際には、レート換算により外国の通貨金額が自国の通貨金額でいくらの価値に相当するかを知ることはできるが、一般の旅行者は外国の言語や外国貨幣の種類に不慣れなので外国貨幣の金額を聞いただけでは外国貨幣別の枚数との対応が理解しづらく、最悪の場合は金額の間違いにその場で気がつかないで損害を被る危険性があるという問題があった。
【０００５】
本発明は上記実状に鑑みてなされたもので、外国貨幣の金額を簡単な操作で視覚的な表現に変換し容易に外国貨幣を判別できるようにすることで、外国の言語や外国貨幣に不慣れな使用者が外国の貨幣を間違いなく取り扱える情報処理装置を提供することを目的とする。
【０００６】
【課題を解決するための手段】
上記目的を達成するため、本発明の情報処理装置は、各国で発行された貨幣の貨幣画像情報と金種情報とを対応させて記憶した金種情報記憶手段と、金種計算対象の金額を指定する金額指定手段と、この指定手段によって指定された金額と等価となる貨幣毎の枚数情報を前記金種情報記憶手段に記憶された金種情報に基づいて算出する貨幣枚数算出手段と、この貨幣枚数算出手段によって算出された貨幣毎の枚数情報を前記金種情報記憶手段に記憶されている前記算出された貨幣の貨幣画像情報に対応させて表示する金種表示手段と、を備えたことを特徴とする。
【０００７】
このような構成によれば、外国において現地の言語や貨幣に不慣れな利用者でも、物品の購入や役務の対価としての支払いのときに国と金額を指定することにより現地の貨幣の画像と共に貨幣の枚数が一覧表示されるので、支払いに要求された貨幣とその枚数を視覚的に理解することが可能となり、支払い金額の間違いによる損害を防止できる効果が得られる。
【０００８】
なお、本発明の情報処理装置は更に、前記各国のうち前記金種計算対象となる国を指定する国指定手段を備え、前記金種表示手段は、更に、前記国指定手段で指定された国で流通している貨幣画像情報を前記金種情報記憶手段から読み出して一覧表示を行うようにしてもよい。
こうすることにより、金種計算の対象となる国を指定でき、その国で流通している貨幣画像を一覧で表示できるようになるので、利用者にとって利便性が増す。
【０００９】
また、本発明の情報処理装置における金種情報記憶手段に記憶される貨幣画像情報は、貨幣の縮小画像とこの縮小画像より精細な精細画像とを含み、前記金種表示手段は、前記縮小画像を用いて一覧表示を行うと共に、一覧表示された縮小画像を前記精細画像に切替表示する表示制御手段を更に備えているようにしてもよい。
こうすることにより、貨幣の種類を一覧で見る場合は縮小画像を表示し、特定の貨幣だけを見る場合は精細画像を表示するというように使う場面によって最適な貨幣の画像を切り替えて表示することができるようになるので、利用者にとって利便性が増す。
【００１０】
また、本発明の情報処理装置は、更に、金額を含む文字列を表示する文表示手段を備え、前記金額指定手段は前記文表示手段によって表示された文字列に含まれる金額を金種計算対象の金額として指定するようにしてもよい。
こうすることにより、翻訳処理における対訳文やメモ帳処理におけるメモ文の中から金額に相当する文字列を指定して金種計算処理を実行できるようになり、金種計算が必要となる様々な場面で同じ操作インターフェスの金種計算ができるようになるので、利用者にとって利便性が増す。
【００１１】
また、本発明の情報処理装置は、更に、前記金額指定手段で指定された金額よりも大きい金額を入力する金額入力手段と、この金額入力手段によって入力された金額から前期金額指定手段で指定された金額との差額を釣銭金額として算出する釣銭金額算出手段と、この釣銭金額算出手段によって算出された前記釣銭金額と等価になる貨幣毎の釣銭枚数情報を算出する釣銭枚数算出手段と、この釣銭枚数算出手段で算出された枚数情報を表示する釣銭枚数表示手段と、を備えるようにしてもよい。
こうすることにより、小額貨幣の持ち合わせがない場合は指定した金額よりも大きい金額を入力すれば指定した金額の貨幣別枚数だけでなく釣銭金額の貨幣別枚数をも知ることができるようになるので、利用者にとって利便性が増す。
【００１２】
また、本発明の情報処理装置は、更に、前記釣銭枚数情報を貨幣の貨幣画像情報に対応させて表示させる釣銭画像表示手段を備えるようにしてもよい。
こうすることにより、釣銭金額の貨幣別枚数だけでなく貨幣に対応した貨幣画像をも見ることができるようになるので、利用者にとって利便性が増す。
【００１３】
また、本発明の情報処理装置は、各国で発行された貨幣の貨幣画像情報と金種情報とを対応させて記憶した金種情報記憶手段と、金種計算対象の金額を指定する金額指定手段と、この指定手段によって指定された金額と等価となる貨幣毎の枚数情報を前記金種情報記憶手段に記憶された金種情報に基づいて算出する貨幣枚数算出手段と、この貨幣枚数算出手段によって算出された貨幣毎の枚数情報が正数か否かを判別する枚数判別手段と、この枚数判別手段により正数と判別された貨幣毎の枚数情報を前記金種情報記憶手段に記憶されている前記算出された貨幣の貨幣画像情報に対応させて表示する金種表示手段と、を備えるようにしてもよい。
【００１４】
このような構成によれば、情報処理装置に対して金種計算の処理を選択し、金種計算の対象となる任意の国の金額を指定すれば、貨幣の枚数が算出された貨幣についてだけ、その国の貨幣ごとに貨幣の画像とその貨幣の枚数が表示される。
こうすることにより、貨幣の画像とその貨幣の枚数を表示するための表示域が狭くて済むので同時に他の情報も表示できるようになるので、利用者にとって利便性が増す。
【００１５】
【発明の実施の形態】
以下、本発明の実施の形態に関して図面を参照して説明する。
【００１６】
図１は本発明の実施の形態による情報処理装置１の外観図である。この情報処理装置１は海外旅行の旅行者が携帯して使用することを前提としており、後述する如く日本語と英語双方向の翻訳処理、任意の文をメモとして記録するメモ帳処理、および任意の対象国の任意の対象金額を指定して金種別枚数計算を行う金種計算処理等を実行することができる。これらの処理を実行するために情報処理装置１はドットマトリクスタイプの液晶表示装置２を備え、後述する各種の演算処理はテンキー３、カーソルキー４及びファンクションキーである切替キー５、変更キー６、確定キー７による入力操作に従って行われる。また、音声入力はマイク部８、音声出力はスピーカ部９により行われる。
【００１７】
次に図２のブロック図を参照して、情報処理装置１の回路構成を説明する。情報処理装置１はＣＰＵ２０により演算と処理の制御を行う。入力装置としては上述した各種キー３乃至７を備えたキー入力装置２２とそのキー入力インターフェス２１及び音声入力のための前記マイク部８に設けられたマイク２４とその音声入力インターフェス２３を備える。出力装置としては音声出力のための前記スピーカ部９に設けられたスピーカ２６とその音声出力インターフェス２５及び前記液晶液晶表示装置２を含む表示装置２８とその表示インターフェス２７（表示駆動回路）を備える。また、データの入出力用として着脱可能な外部記憶装置２９と通信インターフェス３０を備える。
【００１８】
各種の処理を実行するプログラムは、処理の全体の流れを制御するメインプログラム４１、翻訳処理を実行する翻訳プログラム４２、メモ帳処理を実行するメモ帳プログラム４３及び金種計算処理を実行する金種計算プログラム４４から構成されており、ＲＯＭ（Read Only Memory）４０に格納されている。
【００１９】
各処理で使用するファイル５０はフラッシュＲＯＭ等から構成され、翻訳プログラム４１の実行時に使用される翻訳辞書ファイル５１と翻訳用例ファイル５２、メモ帳プログラム４２実行時に使用されるメモ帳ファイル５３、金種計算プログラム４４実行時に使用される金種テーブル５４、同一通貨国テーブル５５及び画像ファイル５６から構成されている。
【００２０】
各処理の演算時に一時的に使用するデータ及び演算結果データは処理ごとにＲＡＭ（Random Access Memory）６０に割当てをして使用する。ここでは、金種計算処理におけるＲＡＭの割当てを示しており、金種計算の対象となる国を格納する対象国メモリ６１、金種計算の対象となる金額を格納する対象金額メモリ６２、貨幣別の金種計算をするための金種計算メモリ６３、貨幣別の金額を合計した合計金額メモリ６４、金種計算プログラムの処理を制御するための金額入力フラグ６５、金種計算プログラムの分岐処理において対象枚数、変更枚数及び差額枚数それぞれの分岐先を設定するための枚数選択値メモリ６６、金種計算メモリ６３のレコード数を示すＭａｘレコードＮｏ．メモリ６７、金種計算メモリ６３のレコード数をカウントするレコードカウンタ６８、及びその他作業全般に使用する作業域メモリ６９のように割当てをしている。
【００２１】
次に、ファイル５０のうち金種計算処理で使用するファイル及びテーブルの関連について説明する。金種計算処理で参照する金種のデータは国別貨幣別に金種テーブル５４に格納されている。ほとんどの国は国ごとに貨幣のデザインが異なるので金種テーブル５４だけで金種のデータを管理できる。しかし、ユーロのように複数の国が同一の通貨を使用し、紙幣は全く同一のデザインで硬貨の裏面だけは国別のデザインとなっているような場合に対応するために、同じ通貨を使用する国々を結びつける同一通貨国テーブル５５を設けている。また、画像ファイル５６には各貨幣の画像データが記憶されており、金種テーブル５４には画像ファイル５６のアドレスデータを格納している。
【００２２】
図３は金種テーブル５４の詳細を示すもので、国または同一通貨メモリ５４１、レコードキーとなる貨幣コードメモリ５４２、貨幣に印刷または刻印されている額面の値を示す額面メモリ５４３、紙幣と硬貨の種別を示す種別メモリ５４４、£や＄などの通貨の単位記号を示す単位記号メモリ５４５、ポンドやドルなどの通貨の単位名を示す単位名メモリ５４６、ポンドとペニーやドルとセントを同じ通貨単位に合わせて計算するための換算用の定数を示す換算定数メモリ５４７、一覧画面に使う貨幣の縮小画像が記憶されている画像ファイル５６のアドレスデータである画面小メモリ５４８及び個別画面に使う貨幣の精細画像が記憶されている画像ファイル５６のアドレスデータである画面大メモリ５４９から構成されている。金種テーブル５４は基本的には国別貨幣単位別になっているが、例外としてユーロの場合は紙幣がユーロ加盟国共通なので紙幣はユーロとして1本化して格納し、硬貨は国別に裏面のデザインが異なるので国別に格納している。
【００２３】
図４は同一通貨国テーブル５５の詳細を示すもので、同じ通貨を使用する国を示す国メモリ５５１とユーロのような同一通貨を示す同一通貨メモリ５５２から構成されている。
【００２４】
図５は画像ファイル５６の詳細を示すもので、金種テーブル５４の縮小画像のアドレスを示す画面小メモリ５４８と精細画像のアドレスを示す画面大メモリ５４９の両方から関連付けられた画像のアドレスを示す画像キーメモリ５６１と画像データそのものである画像データ５６２から構成されている。
【００２５】
図６は金種計算メモリ６３の詳細を示すもので、後述する如く対象国としてユーロを通貨とする国名ドイツが選択された場合にレコード（記憶）されるデータの例を示している。レコードは対象国貨幣の額面の降順となるように並んでおり、そのレコードの連番を示すＮｏ．メモリ６３１、対象の国を示す国メモリ６３２、レコードキーとなる貨幣コードメモリ６３３、貨幣に印刷または刻印されている額面の値を示す額面メモリ６３４、紙幣と硬貨の種別を示す種別メモリ６３５を備えている。また、単位記号メモリ６３６には図示していないがユーロ記号以外に£や＄などの通貨の単位記号が記憶され、これ以外にもポンドやドルなどの通貨の単位名を示す単位名メモリ６３７、ポンドとペニーやドルとセントを同じ通貨単位に合わせて計算するための換算用の定数を示す換算定数メモリ６３８、一覧画面に表示する貨幣の縮小画像のアドレスを示す画面小メモリ６３９、個別画面に表示する貨幣の精細画像のアドレスを示す画面大メモリ６３Ａ、さらに金種別の枚数計算に使用する対象金額の貨幣別の対象枚数メモリ６３Ｂ、後述の金額変更処理（Ｓ４００）で使用する対象金額を変更した場合の貨幣別の変更枚数メモリ６３Ｃ及び貨幣別の差額枚数メモリ６３Ｄ等から構成されている。
【００２６】
図７はＲＡＭ６０の合計金額メモリ６４の詳細を示すもので、後述の金種別枚数計算処理（Ｓ２００）で金額の受け渡しに使用する金額を記憶する演算金額メモリ６４１、後述の金額変更処理（Ｓ４００）で使用する変更された金額を記憶する変更金額メモリ６４２及び差額金額メモリ６４３から構成されている。
【００２７】
次に、上記の如く構成された本実施の形態の動作につき、図８のフローチャートを参照して説明する。図８は情報処理装置１における処理全体の流れを表し、処理全体の流れの制御はメインプログラム４１が行う。
【００２８】
まず、ステップＳ（以降「ステップ」は省略し、単にＳと記す）１で後述する金種計算処理（Ｓ１００）の処理制御のためにＲＡＭ６０の金額入力フラグ６５を「０」状態にし、Ｓ２で液晶表示装置２に図1に示すような処理選択のメニュー画面を表示する。
この図1では、最初は翻訳の文字の下にカーソル４Ａが表示されており、次のＳ３でカーソルキー４の操作によってカーソル４Ａを翻訳、メモ帳、金種計算の順に順次移動させ、確定キー７を操作することにより処理が選択される。
Ｓ３で処理が選択されると、選択された処理によって１の翻訳、２のメモ帳、３の金種計算のいずれかに分岐し、選択され処理が終わると再びＳ１に戻る。即ち、Ｓ３で１の翻訳が選択された場合は、翻訳プログラム４２が翻訳処理（Ｓ５００）を実行し、２のメモ帳が選択された場合は、メモ帳プログラム４３がメモ帳処理（Ｓ６００）を実行し、３の金種計算が選択された場合は、金額の入力ステップを実行するために金額入力フラグ６５を「１」状態にした後（Ｓ４）、金種計算プログラム４４が金種計算処理（Ｓ１００）を実行する。
【００２９】
翻訳処理（Ｓ５００）とメモ帳処理（Ｓ６００）の詳細については後述することとし、金種計算処理（Ｓ１００）の詳細について図９を参照して説明する。尚、この金種計算処理は後述する如くＳ５００の翻訳処理及びＳ６００のメモ帳処理においても使用される為、金額入力フラグ６５の値が「０」状態の際のフローも含まれている。
【００３０】
しかして、まず、Ｓ１０１で図１０の液晶表示装置２に示すような国の一覧選択画面を表示し、次のＳ１０２で表示された国の一覧の中からカーソルキー４と確定キー７によって国を選択する。ここで例えば国名ドイツが選択された場合は、選択された“ドイツ”という国の値を対象国メモリ６１に格納する（Ｓ１０３）。
Ｓ１０４で金額入力フラグ６５の値が「１」状態であればＳ１０５の金額の入力処理に進むが、「０」状態であればＳ１０７に進む。
Ｓ１０５ではテンキー３による金額の入力がなされたか否かを判断し、ここで例えば“１２５．９”の金額が入力されたら入力された金額を対象金額メモリ６２に格納する（Ｓ１０６）。
【００３１】
Ｓ１０７では図１１の液晶表示装置２の領域２Ａに示すように“入力金額”という文字列と共に対象金額メモリ６２に格納された入力金額“１２５．９”、対象国メモリ６１に格納された対象国名“ドイツ”を表示する。また、対象国メモリ６１に格納された国名“ドイツ”を用いて金種テーブル５４をサーチし、国名“ドイツ”に対応する単位名メモリ５４６に記憶されている単位“ユーロ”を読み出して表示する。この場合、金額入力は必ず上位単位で入力されるものとし、例えば７５セントといった場合には“０．７５”と入力するものとする。尚、入力金額だけは大きな文字で表示する。
【００３２】
Ｓ１０８では、入力された国名“ドイツ”が同一通貨国テーブル５５の国メモリ５５１に有るか否かを判断し（この場合「有る」）、有る場合には、対応する同一通貨メモリ５５２に記憶されている同一通貨“ユーロ”を用いて金種テーブル５４の国又は同一通貨メモリ５４１をサーチする。そして、国又は同一通貨メモリ５４１に“ユーロ”が記憶されている領域のデータ（貨幣コード、額面、種別、単位記号、単位名、換算定数、画像小、画像大）を読み出して金種計算メモリ６３の対応する領域に記憶させる。
続けて国名“ドイツ”を用いて金種テーブル５４の国または同一通貨メモリ５４１をサーチし、“ドイツ” が記憶されている領域のデータを同様に読み出して金種計算メモリ６３の対応する領域に記憶させる。そして、これらの金種計算メモリ６３に記憶されたデータを額面順に並び替え、最も金額の高いデータから順に番号を付して再度記憶させる。
【００３３】
このＳ１０８の処理の結果、金種計算メモリ６３の値は入力された国がドイツの場合、金種テーブル５４の国又は同一通貨メモリ５４１に“ユーロ”及び“ドイツ”が記憶されている領域に対応するデータ（５４Ｘ乃至５４Ｙ）が図６に示すようにＮｏ．メモリ６３１に番号「１」から順次番号付けがなされて記憶されることになる。
次のＳ１０９ではＳ１０６で対象金額メモリ６２に記憶された入力金額の値を合計金額メモリ６４の演算金額メモリ６４１に記憶させ、枚数選択値メモリ６６に「１」を設定し、次の対象金額の金種別枚数計算処理（Ｓ２００）を行う。
【００３４】
金種別枚数計算処理（Ｓ２００）の詳細を図１２を参照して説明する。
まず、以下のＳ２０１〜Ｓ２０３の初期化処理を行う。
金種計算メモリ６３の対象枚数メモリ６３Ｂ（以降記憶されるデータをＮ１と記す）、変更枚数メモリ６３Ｃ（以降記憶されるデータをＮ２と記す）及び差額枚数メモリ６３Ｄ（以降記憶されるデータをＮ３と記す）を全て「０」にし（Ｓ２０１）、金種計算メモリ６３のレコードの連番を示すＮｏ．メモリ６３１の最大値をＭａｘレコードＮｏ．メモリ６７に設定し（Ｓ２０２）、レコードカウンタ６８（以降記憶されるデータをＮと記す）に「１」を設定する（Ｓ２０３）。
【００３５】
次に、額面の降順に並んだ金種計算メモリ６３のレコードを順次読み込んで金種別枚数を計算するＳ２０４〜Ｓ２１２の処理を行う。
Ｓ２０４では金種計算メモリ６３のレコードの連番を示すＮｏ．メモリ６３１の値がＮと等しいレコードを読み出す。
Ｓ２０５で演算金額メモリ６４１の値（以降Ｍと記す）と読み出した金種計算メモリ６３の額面メモリ６３４の値及び換算定数メモリ６３８の値との乗算結果を比較し、Ｍの方が小であれば減算できないのでＮを＋「１」カウントアップして次のレコードを読むためにＳ２０４に戻る（Ｓ２０６）。
Ｓ２０５でＭの方が大きいか等しい場合は、Ｍから額面メモリ６３４の値及び換算定数メモリ６３８の値との乗算結果を減算し、その結果をＭに格納する（Ｓ２０７）。
【００３６】
そしてＳ２０８〜Ｓ２１１で枚数選択値メモリ６６の値によりＮ１、Ｎ２，Ｎ３のいずれかを＋「１」カウントアップする。
Ｓ２０８では枚数選択値メモリ６６の値を判別し、枚数選択値メモリ６６の値が「１」ならば、Ｎ１を＋「１」カウントアップし（Ｓ２０９）、枚数選択値メモリ６６の値が「２」ならば、Ｎ２を＋「１」カウントアップし（Ｓ２１０）、枚数選択値メモリ６６の値が「３」ならば、Ｎ３を＋「１」カウントアップする（Ｓ２１１）。
Ｓ２１２でＭが「０」でないと判定されればＳ２０４に戻り次のレコードを読んで金種別枚数計算を繰り返し、Ｍが「０」と判定された場合は金種別枚数計算処理（Ｓ２００）を終了する。
以上が金種別枚数計算処理（Ｓ２００）の詳細である。
【００３７】
Ｓ２００の処理を終了して図９の金種計算処理（Ｓ１００）に戻り、対象金額の金種別枚数表示処理（Ｓ３００）の処理を行う。金種別枚数表示処理（Ｓ３００）の詳細を図１３を参照して説明する。この処理は対象金額の金種別枚数表示処理、後述する変更金額の金種別枚数表示処理、後述する差額金額の金種別枚数表示処理のいずれかの処理を枚数選択値メモリ６６の値を判別することにより値に対応した処理に分岐して実行する。
【００３８】
まず、レコードカウンタ６８に「１」を設定し（Ｓ３０１）、金種ごとに縮小画像と対応する枚数を順次表示するための画面レイアウトを作成する（Ｓ３０２）。
Ｓ３０３ではＮとレコードの連番の最大値が設定されているＭａｘレコードＮｏ．メモリ６７の値とを比較する。
Ｓ３０３でＮがＭａｘレコードＮｏ．メモリ６７の値より大になると、金種計算メモリ６３の最後のレコードの処理が済んでいるものとして金種別枚数を表示した後の処理であるＳ３１２へ進むが、ＮがＭａｘレコードＮｏ．メモリ６７の値以下の場合には、Ｓ３０３〜Ｓ３１１の処理を繰り返し行い金種別枚数を順次表示する。
【００３９】
即ち、Ｓ３０４では金種計算メモリ６３のレコードの連番を示すＮｏ．メモリ６３１の値がＮと等しいレコードを読み出す。
Ｓ３０５で画像小メモリ６３９の値をキーとして図５の画像ファイル５６の中から画像キーメモリ５６１の値が一致する縮小画像の画像データ５６２を読み出し、図１１に示す様に表示領域２Ｂに表示する。このとき、金種計算メモリの額面メモリ６３４の値と単位名メモリ６３７の値も縮小画像の下部に表示する。例えば２Ｂ−１は、額面５００ユーロの紙幣の縮小画像２Ｂ−２が表示されている状態を示している。
Ｓ３０６では枚数選択値メモリ６６の値を判別し、枚数選択値メモリ６６の値が「１」ならば対象枚数メモリ６３Ｂの値を図１１に示す表示領域２Ｃに表示する（Ｓ３０７）。尚、枚数選択値メモリ６６の値が「２」ならば後述する変更枚数メモリ６３Ｃの値を図１１に示す表示領域２Ｃに表示し（Ｓ３０８）、枚数選択値メモリ６６の値が「３」ならば後述する差額枚数メモリ６３Ｄの値を表示領域２Ｃに表示する（Ｓ３０９）。
【００４０】
Ｓ３０５〜Ｓ３０９の処理の結果、１つの貨幣の縮小画像と対応する枚数が表示されることになる。
Ｓ３１０で次の貨幣を表示するために、表示アドレスを１貨幣分だけ次の位置にシフトし、Ｎを＋「１」カウントアップして（Ｓ３１１）、Ｓ３０３に戻る。
この様にして、全ての枚数が表示されるとＮがＭａｘレコードＮｏ．メモリ６７の値より大となりＳ３１２では確定キー７が操作されたか否かが検出され、確定キー７が操作されたことが検出されると金種別枚数表示処理（Ｓ３００）を終了する。即ち、金種別枚数表示処理（Ｓ３００）のＳ３０５及びＳ３０７の処理によって、図１１に示すように１２５．９ユーロに相当する金種の縮小画像と対応する枚数が表示されるもので紙幣は表面を表示し、硬貨は表面と裏面の両方を表示している。枚数は１００ユーロが１枚、２０ユーロが１枚、５ユーロが１枚、５０セントが１枚、及び２０セントが２枚となっている。
【００４１】
一方、Ｓ３１２で確定キー７の操作が検出されなかった場合はＳ３１３に進み、Ｓ３１３〜Ｓ３１５で指定された貨幣の精細画像の表示を行う。
即ち、Ｓ３１３では図１１の表示領域２Ｂのいずれかの貨幣の縮小画像がカーソルキー４で選択された後に確定キー７が操作されたか否かが検出され、この検出によってＳ３１４に進み、確定キー７でないキーの操作が検出された場合はＳ３１２に戻る。
Ｓ３１４ではカーソルキー４で選択された精細画像の表及び裏面の画面レイアウトを作成し、Ｓ３１５では金種計算メモリ６３の画像大メモリ６３Ａの値をキーとして図５の画像ファイル５６の中から画像キーメモリ５６１が一致する精細画像の画像データ５６２を読み出して額面及び単位と共に表示する。図１４の（ａ）は表示領域２Ｄに１００ユーロ紙幣の精細画像が表示されている例、図１４の（ｂ）は２０セント硬貨の精細画像が表示されている例を示している（Ｓ３１５）。
以上が金種別枚数表示処理（Ｓ３００）の詳細である。
【００４２】
Ｓ３００の処理を終了し図９の金種計算処理（Ｓ１００）に戻り、Ｓ３００によって図１１の如く対象金額の金種別枚数が表示された状態において、利用者が入力された金額に相当する小額の貨幣の持ち合せがなく釣銭を必要とする様な金額を算出するような場合は指示により次の金額変更処理（Ｓ４００）を行う。
【００４３】
即ち、次のＳ１１０で変更キー６の操作を検出した場合は次の金額変更処理（Ｓ４００）を行い、変更キー６でないキーの操作を検出した場合は次のＳ１１１に進む。金額変更処理（Ｓ４００）の詳細を図１５を参照して説明する。この処理では対象金額に対し釣銭を必要とする変更金額に変更されると、この変更金額の金種別枚数表示および差額金額（釣銭金額）の金種別枚数表示をする。
【００４４】
まず、Ｓ４０１で変更金額の入力がなされたか否かの判別をし、入力されたら入力された変更金額を合計金額メモリ６４の変更金額メモリ６４２に格納する（Ｓ４０２）。
Ｓ４０３で“変更金額”という文字列と共に合計金額メモリ６４の変更金額メモリ６４２に格納された変更金額、及び“入力金額”と表示されている文字列の右に対象金額メモリ６２に格納された入力金額を表示する。このとき、変更金額だけは大きな文字で表示する。
【００４５】
Ｓ４０４で変更金額メモリ６４２の値と対象金額メモリ６２の値とを比較し、変更金額メモリ６４２の値が大でない場合は表示領域２Ａに“変更金額の入力エラー”のエラーメッセージを表示して（Ｓ４０５）、Ｓ４０１に戻る。
Ｓ４０４で変更金額メモリ６４２の値が大の場合は正常処理として以下の処理を行う。
Ｓ４０６で変更金額メモリ６４２の値を合計金額メモリ６４の演算金額メモリ６４１に記憶し、「２」を枚数選択値メモリ６６に設定し、図１２の金種別枚数計算処理（Ｓ２００）と図１３の金種別枚数表示処理（Ｓ３００）を行う。
【００４６】
変更金額のＳ３００を終えると図１５の金額変更処理（Ｓ４００）に戻り、変更金額として１３０．０ユーロを入力した場合は図１６の液晶表示装置２の領域２Ａに示すように変更金額として１３０．０ユーロとその金種別枚数が表示される。
Ｓ４０７で変更金額メモリ６４２の値と対象金額メモリ６２の値との差額を合計金額メモリ６４の差額金額メモリ６４３に格納する。
Ｓ４０８で差額金額メモリ６４３の値を合計金額メモリ６４の演算金額メモリ６４１に記憶し、「３」を枚数選択値メモリ６６に設定し、図１２の金種別枚数計算処理（Ｓ２００）を行う。
【００４７】
差額金額のＳ２００を終えると図１５の金額変更処理（Ｓ４００）に戻り、Ｓ４０９で差額金額の表示をしてよいかどうかの確認表示をする。
Ｓ４１０で確定キー７の操作が検出されると差額金額を表示するＳ４１１へ進み、確定キー７でないキーの操作が検出された場合はＳ４０９へ戻る。
Ｓ４１１で“差額金額”という文字列と共に合計金額メモリ６４の差額金額メモリ６４３に格納された差額金額、及び“変更金額”と表示されている文字列の右に合計金額メモリ６４の変更金額メモリ６４２に格納された変更金額を表示する。このとき、差額金額だけは大きな文字で表示する。
【００４８】
続いて、差額金額のＳ３００を行った後に金額変更処理（Ｓ４００）を終了する。Ｓ３００を実行した結果、図１７の液晶表示装置２の領域２Ａに示すように差額金額として４．１ユーロとその金種別枚数が表示される。
以上が金額変更処理（Ｓ４００）の詳細である。
【００４９】
Ｓ４００を終えて図９の金種計算処理（Ｓ１００）に戻り、Ｓ１１１では確定キー７の操作が検出されると金種計算処理（Ｓ１００）を終了し、確定キー７でないキーの操作が検出された場合はＳ１０５へ戻り金額の再入力を待つ。
以上が金種計算処理（Ｓ１００）の詳細である。
【００５０】
次に、本発明の情報処理装置１で実行可能な処理の一つである図８の翻訳処理（Ｓ５００）から金種計算処理（Ｓ１００）を呼び出す場合の動作フローを図１８を参照して説明する。翻訳処理そのものは本発明と直接的に関係しないので、金種計算処理（Ｓ１００）を中心に簡単に説明する。
【００５１】
まず、Ｓ５０１でマイク部８から入力される翻訳のための音声文が入力されたか否かを判別し、音声文が入力されたら翻訳辞書ファイル５１を参照して入力文の構文解析を行う（Ｓ５０２）。
Ｓ５０３で構文解析した文を元に翻訳用例ファイル５２を検索して用例の候補を表示し、用例の候補が選択されると（Ｓ５０４）、選択された用例を図１９のように表示する（Ｓ５０５）。
【００５２】
Ｓ５０６では図１９の液晶表示装置２の下部に金種計算と表示されたキーにカーソル４を合わせた状態で確定キー７が検出されたか否かで金種計算をするか否かの判別をし、金種計算が不要と判別された場合はＳ５０８へ進む。
Ｓ５０６で金種計算を行うと判別された場合は、用例の金額を合計金額メモリ６４の演算金額メモリ６４１に格納し（Ｓ５０７）、図９の金種計算処理（Ｓ１００）を行う。
図１８の翻訳処理（Ｓ５００）に戻り、Ｓ５０８で確定キー７でない操作が検出されるとＳ５０１に戻り翻訳処理を繰り返し、確定キー７の操作が検出された場合は翻訳処理（Ｓ５００）を終了する。
以上が翻訳処理（Ｓ５００）の詳細である。
【００５３】
次に、本発明の情報処理装置１で実行可能な処理の一つである図８のメモ帳処理（Ｓ６００）から金種計算処理（Ｓ１００）を呼び出す場合の動作フローを図２０を参照して説明する。メモ帳処理そのものは本発明と直接的に関係しないので、金種計算処理（Ｓ１００）を中心に簡単に説明する。
【００５４】
まず、Ｓ６０１でマイク部８から入力されるテキスト文が入力され、図２１に示すように金額部分がカーソルで指定されると、指定範囲の文字列が金額を示す数値とドルやユーロ等の通貨名からなるか否かの解析を行う（Ｓ６０２）。
Ｓ６０２で解析した結果をＳ６０３で判別し、文字列が金額でないと判別された場合はＳ６０１に戻り、金額であると判別された場合はＳ６０４へ進む。
Ｓ６０４では図２１の液晶表示装置２の下部に金種計算と表示されたキーにカーソル４を合わせた状態で確定キー７の操作が検出されたか否で金種計算をするか否かの判別をし、金種計算が不要と判別された場合はＳ６０６へ進む。
【００５５】
Ｓ６０４で金種計算を行うと判別された場合は、メモ文の金額を合計金額メモリ６４の演算金額メモリ６４１に格納し（Ｓ６０５）、図９の金種計算処理（Ｓ１００）を行う。
図２０のメモ帳処理（Ｓ６００）に戻り、Ｓ６０６で確定キー７でない操作が検出されるとＳ６０１に戻りメモ帳処理を繰り返し、確定キー７の操作が検出された場合はメモ帳処理（Ｓ６００）を終了する。
以上がメモ帳処理（Ｓ６００）の詳細である。
【００５６】
次に、第１の実施例の金種計算処理において、変更処理を一部変えたものを第２の実施例として説明する。第１の実施例では対象金額が変更されて変更金額の金種別枚数と差額金額の金種別枚数を算出したが、第２の実施例では対象金額はそのままで手持ちの貨幣が指定されるようにし、その指定された貨幣を使用して金種別枚数を算出する。第２の実施例では第１の実施例における図１５の金額変更処理（Ｓ４００）と図１２の金種別枚数計算処理（Ｓ２００）の処理フローが異なるだけなので、それぞれの処理フローを金額変更処理２（Ｓ７００）と金種別枚数計算処理２（Ｓ８００）とに置き換えて説明する。
【００５７】
金額変更処理２（Ｓ７００）の詳細を図２２を参照して説明する。
この処理では手持ちの貨幣が指定されると、その指定された貨幣を使用した金種別枚数表示をする。ここでは、金種計算メモリ６３の差額枚数メモリ６３Ｄを貨幣が指定されたかどうかを示す貨幣指定フラグ（以降、Ｎ３と記す）として使用する。
【００５８】
まず、Ｓ７０１でＮ３を全て「０」状態に初期化し、Ｓ７０２で図２３の液晶表示装置２の領域２Ａに“貨幣指定”という文字列を表示する。
Ｓ７０３では図２３の表示領域２Ｂの縮小画像のうち手持ちの貨幣の縮小画像にカーソル４を合わせた状態で確定キー７が検出されたか否かにより、指定された貨幣を判別する。
【００５９】
Ｓ７０３で貨幣の指定が検出されると、指定された貨幣に対応する表示領域２Ｃを図２３に示すように反転表示し（Ｓ７０４）、指定された貨幣のＮ３の値を「１」状態にして（Ｓ７０５）、Ｓ７０３に戻って次の貨幣の指定を待つ。図２３の例では５０ユーロ、１０ユーロ、５ユーロ、５セント及び２セントが指定されている。
Ｓ７０３で貨幣が選択されない状態で確定キー７の操作が検出された場合は、貨幣の指定が終わったものと判断しＳ７０６へ進む。
Ｓ７０６では対象金額メモリ６２の値を合計金額メモリ６４の演算金額メモリ６４１に記憶させ、「２」を枚数選択値メモリ６６に設定し、金種別枚数計算処理２（Ｓ８００）を行う。
【００６０】
金種別枚数計算処理２（Ｓ８００）の詳細を図２４で説明する。
この処理は金種別枚数計算処理（Ｓ２００）と同様の処理であるが、指定された貨幣だけを使用するのでレコードカウンタＮの判別（Ｓ８０４）やＮ３の判別（Ｓ８０７）が追加されている。
また、この処理は対象金額の金種別枚数計算処理、変更金額の金種別枚数計算処理、差額金額の金種別枚数計算処理のいずれかの処理を枚数選択値メモリ６６の値を判別することにより値に対応した処理に分岐して実行する。
【００６１】
まず、Ｓ８０１〜Ｓ８０３の初期化処理を行う。
金種計算メモリ６３の対象枚数メモリ６３Ｂ（以降以降記憶されるデータをＮ１と記す）、変更枚数メモリ６３Ｃ（以降以降記憶されるデータをＮ２と記す）を全て「０」にし（Ｓ８０１）、金種計算メモリ６３のレコードの連番を示すＮｏ．メモリ６３１の最大値をＭａｘレコードＮｏ．メモリ６７に設定し（Ｓ８０２）、レコードカウンタ６８（以降Ｎと記す）に「１」を設定する（Ｓ８０３）。
【００６２】
次に、額面の大きい順に並んだ金種計算メモリ６３のレコードを順次読み込んで金種別枚数計算するＳ８０４〜Ｓ８１５の処理を行う。
Ｓ８０４でＮの値とＭａｘレコードＮｏ．メモリ６７の値とを比較し、Ｎの値がＭａｘレコードＮｏ．メモリ６７の値よりも大となった場合は“貨幣指示エラー”のエラーメッセージを表示領域２Ａに表示して金種別枚数計算処理２（Ｓ８００）を終了する（Ｓ８０５）。
Ｓ８０４でＮの値がＭａｘレコードＮｏ．メモリ６７の値以下の場合はＳ８０６に進む。
【００６３】
Ｓ８０６では金種計算メモリ６３のレコードを順次読み込み、連番を示すＮｏ．メモリ６３１の値がＮと等しいレコードを読み出す。
Ｓ８０７でＮ３の値が「１」状態でなければ指定された貨幣ではないのでＳ８０４に戻り、Ｎ３の値が「１」状態の場合はＳ８０８に進む。
【００６４】
Ｓ８０８で演算金額メモリ６４１（以降Ｍと記す）と読み出した金種計算メモリ６３の額面メモリ６３４の値及び換算定数メモリ６３８の値との乗算結果を比較し、Ｍの方が小であれば減算できないのでＮを＋「１」カウントアップして次のレコードを読むためにＳ８０４に戻る（Ｓ８０９）。
Ｓ８０８でＭの方が大きいか等しい場合は、Ｍから額面メモリ６３４の値及び換算定数メモリ６３８の値との乗算結果を減算し、その結果をＭに格納する（Ｓ８１０）。
そしてＳ８１１〜Ｓ８１４で枚数選択値メモリ６６の値によりＮ１、Ｎ２，Ｎ３のいずれかを＋「１」カウントアップする。
【００６５】
Ｓ８１１では枚数選択値メモリ６６の値を判別し、枚数選択値メモリ６６の値が「１」ならば、Ｎ１を＋「１」カウントアップし（Ｓ８１２）、枚数選択値メモリ６６の値が「２」ならば、Ｎ２を＋「１」カウントアップし（Ｓ８１３）、枚数選択値メモリ６６の値が「３」ならば、Ｎ３を＋「１」カウントアップする（Ｓ８１４）。
Ｓ８１５でＭが「０」でないと判定されれば次のレコードを読んで金種別枚数計算を繰り返し、Ｍが「０」と判定された場合は金種別枚数計算処理２（Ｓ８００）を終了する。
以上が金種別枚数計算処理２（Ｓ８００）の詳細である。
【００６６】
Ｓ８００を終了し図２２の金額変更処理２（Ｓ７００）に戻り、図１３の金種別枚数表示処理（Ｓ３００）を行い、対象金額について指定された貨幣により算出した金種別枚数を表示する。
図２３に示すように５０ユーロ、１０ユーロ、５ユーロ、５セント及び２セントの貨幣が指定された場合の表示例を図２５に示す。
図２２の金額変更処理２（Ｓ７００）に戻り、Ｓ７０７で確定キー７でない操作が検出されるとＳ７０１に戻り金額変更処理２を繰り返し、確定キー７の操作が検出された場合は金額変更処理２（Ｓ７００）を終了する。
以上が金額変更処理２（Ｓ７００）の詳細である。
【００６７】
次に、第１の実施例の金種計算処理において、金種別枚数表示処理（Ｓ３００）を一部変えたものを第３の実施例として説明する。第１の実施例では枚数の値が「０」であるかどうかに関わらず全ての金種を表示したが、第３の実施例では枚数の値が「０」より大の金種だけを表示する（枚数の値が「０」の金種は表示しない）。第３の実施例では第１の実施例における金種別枚数表示処理（Ｓ３００）の処理フローの一部が異なるだけなので、図１３の金種別枚数表示処理（Ｓ３００）の処理フローの一部を変更した金種別枚数表示処理２（Ｓ９００）に置き換えて説明する。
【００６８】
金種別枚数表示処理２（Ｓ９００）の詳細を図２６を参照して説明する。
この処理は対象金額の金種別枚数表示処理、変更金額の金種別枚数表示処理、差額金額の金種別枚数表示処理のいずれかの処理を枚数選択値メモリ６６の値を判別することにより値に対応した処理に分岐して実行する。
【００６９】
まず、レコードカウンタ６８（以降Ｎと記す）に「１」を設定し（Ｓ９０１）、金種ごとに縮小画像と対応する枚数を順次表示するための画面レイアウトを作成する（Ｓ９０２）。
【００７０】
Ｓ９０３ではＮとレコードの連番の最大値が設定されているＭａｘレコードＮｏ．メモリ６７とを比較する。
Ｓ９０３でＮがＭａｘレコードＮｏ．メモリ６７の値より大になると、金種計算メモリ６３の最後のレコードの処理が済んでいるものとして金種別枚数を表示した後の処理であるＳ９１５へ進む。
Ｓ９０３でＮがＭａｘレコードＮｏ．メモリ６７の値になるまで、Ｓ９０３〜Ｓ９１４の処理を繰り返し行い金種別枚数を順次表示する。
【００７１】
即ち、Ｓ９０４では金種計算メモリ６３のレコードの連番を示すＮｏ．メモリ６３１の値がＮと等しいレコードを読み出す。
Ｓ９０５では枚数選択値メモリ６６の値を判別し、枚数選択値メモリ６６の値が「１」で対象枚数が「０」より大ならば（Ｓ９０６）、対象枚数メモリ６３Ｂを図２７に示す表示領域２Ｃに表示し（Ｓ９０７）、枚数選択値メモリ６６の値が「２」で変更枚数が「０」より大ならば（Ｓ９０８）、変更枚数メモリ６３Ｃを図２７に示す表示領域２Ｃに表示し（Ｓ９０９）、枚数選択値メモリ６６の値が「３」で差額枚数が「０」より大ならば（Ｓ９１０）、差額枚数メモリ６３Ｄを図２７に示す表示領域２Ｃに表示する（Ｓ９１１）。
Ｓ９０６、Ｓ９０８、Ｓ９１０で対象枚数、変更枚数、差額枚数それぞれの枚数が「０」ならば縮小画像及び対応する枚数を表示しないのでＳ９１４へ進む。
【００７２】
Ｓ９１２で画像小メモリ６３９の値をキーとして図５の画像ファイル５６の中から画像キーメモリ５６１が一致する縮小画像の画像データ５６２を読み出し、図２７に示す表示領域２Ｂに表示する。このとき、金種計算メモリの額面メモリ６３４の値と単位名メモリ６３７の値も縮小画像の下部に表示する。
Ｓ９０５〜Ｓ９１２の処理の結果、１つの貨幣の縮小画像と対応する枚数が表示されることになる。
Ｓ９１３で次の貨幣を表示するために、表示アドレスを１貨幣分だけ次の位置にシフトし、Ｎを＋「１」カウントアップして（Ｓ９１４）、Ｓ９０３に戻る。
【００７３】
Ｓ９１５で確定キー７の操作が検出されると、金種別枚数表示処理（Ｓ９００）を終了する。
Ｓ９１６〜Ｓ９１８では指定された貨幣の精細画像の表示を行う。
Ｓ９１６で図２７の表示領域２Ｂのいずれかの貨幣の縮小画像がカーソルキー４で選択された後に確定キー７の操作が検出されると、図１４の表示領域２Ｄに示すような精細画像の画面レイアウトを作成し（Ｓ９１７）、金種計算メモリ６３の画像大メモリ６３Ａの値をキーとして図５の画像ファイル５６の中から画像キーメモリ５６１の値が一致する精細画像の画像データ５６２を読み出して図１４の表示領域２Ｄに表示する（Ｓ９１８）。
以上が金種別枚数表示処理２（Ｓ９００）の詳細である。
【００７４】
ここで、翻訳処理とメモ帳処理に第３の実施例を適用した場合は、翻訳処理の場合が図２８、メモ帳処理の場合が図２９に示すようにそれぞれ表示される。このとき、画面の表示領域の判別ステップを追加すれば縮小画像と対応する枚数が一画面に収まらない場合に、図１１に示すような全ての金種を表示する画面を表示するようにすることもできる。
また、図２７、図２８、図２９に示すように枚数の値が「０」より大の金種だけを表示するようにした場合、切替キー５の検出ステップを追加すれば切替キー５の操作が検出されると図１１に示すような全ての金種を表示する画面に切り替えて表示するようにすることもできる。
【００７５】
以上説明したように、上記実施の形態によれば、情報処理装置１の利用者が外国において指定された金額の支払いをする場合に、国名を選択して金額を入力すると、貨幣別に縮小画像と共に枚数が対応して一覧表示される。このとき、特定の貨幣の縮小画像を指定すると精細画像が個別に表示される。
また、表示されたとおりの貨幣の持ち合わせがない場合は、端数をまるめた指定された金額より大きい金額に変更して変更金額の金種別枚数と釣銭となる差額金額の金種別枚数の両方を表示することもできる。
さらに、持ち合わせている貨幣の種類を指定して、指定した貨幣だけを使用した金種別枚数を表示することもできる。
【００７６】
尚、上記実施の形態における情報処理装置１は、本発明にかかるプログラムを実行可能であれば、任意のコンピュータ装置を用いることができる。この場合、上述の各処理を実行するためのプログラムを格納した媒体（フレクシブルディスク、ＣＤ−ＲＯＭなど）から当該プログラムをコンピュータ装置にインストールすることにより、上述の処理を実行する情報処理装置１を構成することができる。
【００７７】
また、各種通信手段を用いてコンピュータ装置にプログラムを供給することが可能であり、この場合コンピュータ装置にプログラムを供給するための手段は任意である。例えば、プログラムを搬送波に重畳させ、通信回線、通信ネットワーク、通信システムなどを介して供給してもよい。
【００７８】
また、上記実施の形態では、一覧表示された金種計算対象国名を操作キーによりカーソルを移動させて選択するようにしているが、音声でカーソル移動を指示して金種計算対象国名を選択したり、金種計算対象国名を直接音声で入力するようにしてもよい。
【００７９】
更に、また、上記実施の形態では、金種計算対象金額を操作キーにより入力しているが、金種計算対象金額を音声で入力するようにしてもよい。
【００８０】
また、上記実施の形態では、メモ帳機能を用いて作成したテキスト上の指定範囲の文字列が、金額を示す数値とドルやユーロ等の通貨名からなる場合、金種計算対象国名を別途選択指示するようにしているが、通貨名と国名との対応を示す通貨名・国名テーブルを設け、当該指定範囲の文字列が金額と通貨名からなる場合は、文字列から抽出した通貨名を用いて通貨名・国名テーブルを参照し、該当する国名を抽出して金種計算対象国名として設定するようにしてもよい。このとき、該当する国名が１つではなく複数ある場合は、複数の候補の国名を表示して選択するようにし、選択された国名を金種計算対象国名として設定するようにすればよい。
【００８１】
また、上記実施の形態では、同一画面に貨幣の枚数と対応する貨幣画像を一覧表示したが、画面の大きさが一覧表示するのに不十分の場合は、分割して表示またはスクロール表示するようにしてもよい。
【００８２】
【発明の効果】
以上説明したように、本発明の情報処理装置によれば、外国において現地の言語や貨幣に不慣れな利用者でも、物品の購入や役務の対価としての支払いのときに国と金額を指定することにより現地の貨幣の画像と共に貨幣の枚数が一覧表示されるので、支払いに要求された貨幣とその枚数を視覚的に理解することが可能となり、支払い金額の間違いによる損害を防止できる効果が得られる。
【図面の簡単な説明】
【図１】本発明の実施の形態にかかる情報処理装置の外観図である。
【図２】図１に示す情報処理装置の回路構成を示すブロック図である。
【図３】図２に示す情報処理装置で使用するデータファイルの内容を示す図であり、金種テーブルの内容を示す。
【図４】図２に示す情報処理装置で使用するデータファイルの内容を示す図であり、同一通貨国テーブルの内容を示す。
【図５】図２に示す情報処理装置で使用するデータファイルの内容を示す図であり、画像データの内容を示す。
【図６】図２に示す情報処理装置で使用するＲＡＭの内容を示す図であり、金種計算メモリの内容を示す。
【図７】図２に示す情報処理装置で使用するＲＡＭの内容を示す図であり、合計金額メモリの内容を示す。
【図８】図２に示す情報処理装置におけるメインフローの動作を説明するためのフローチャートである。
【図９】図２に示す情報処理装置における金種計算処理の動作を説明するためのフローチャートである。
【図１０】図２に示す情報処理装置に表示される画面の例を示す図であり、国の選択画面の表示例を示す。
【図１１】図２に示す情報処理装置に表示される画面の例を示す図であり、入力金額と貨幣および枚数の表示例を示す。
【図１２】図９に示す金種別枚数計算処理の動作を説明するためのフローチャートである。
【図１３】図９に示す金種別枚数表示処理の動作を説明するためのフローチャートである。
【図１４】図２に示す情報処理装置に表示される画面の例を示す図であり、（ａ）は紙幣の精細画像画面の表示例、（ｂ）は硬貨の精細画像画面の表示例を示す。
【図１５】図９に示す金額変更処理の動作を説明するためのフローチャートである。
【図１６】図２に示す情報処理装置に表示される画面の例を示す図であり、変更金額と貨幣および枚数の表示例を示す。
【図１７】図２に示す情報処理装置に表示される画面の例を示す図であり、差額金額と貨幣および枚数の表示例を示す。
【図１８】図８に示す翻訳処理の動作を説明するためのフローチャートである。
【図１９】図２に示す情報処理装置に表示される画面の例を示す図であり、翻訳の用例の表示例を示す。
【図２０】図８に示すメモ帳処理の動作を説明するためのフローチャートである。
【図２１】図２に示す情報処理装置に表示される画面の例を示す図であり、メモ帳の表示例を示す。
【図２２】図９に示す金額変更処理を一部変更した、第２の実施例である金額変更処理２の動作を説明するためのフローチャートである。
【図２３】第２の実施例で、図２に示す情報処理装置に表示される画面の例を示す図であり、使用する貨幣を指定した表示例を示す。
【図２４】第２の実施例で、図２２に示す金種別枚数計算処理２の動作を説明するためのフローチャートである。
【図２５】第２の実施例で、図２に示す情報処理装置に表示される画面の例を示す図であり、使用する貨幣を指定した場合の貨幣および枚数の表示例を示す。
【図２６】図９に示す金種別枚数表示処理を一部変更した、第３の実施例である金種別枚数表示処理２の動作を説明するためのフローチャートである。
【図２７】第３の実施例で、図２に示す情報処理装置に表示される画面の例を示す図であり、入力金額と貨幣および枚数の表示例を示す。
【図２８】第３の実施例で、図２に示す情報処理装置に表示される画面の例を示す図であり、翻訳の用例の表示例を示す。
【図２９】第３の実施例で、図２に示す情報処理装置に表示される画面の例を示す図であり、メモ帳の表示例を示す。
【符号の説明】
１  情報処理装置
２  液晶表示装置
３  テンキー
４  カーソルキー
５  切替キー
６  変更キー
７  確定キー
８  マイク部
９  スピーカ部
２０  ＣＰＵ
２１  キー入力インターフェス
２２  キー入力装置
２３  音声入力インターフェス
２４  マイク
２５  音声出力インターフェス
２６  スピーカ
２７  表示インターフェス
２８  表示装置
２９  外部記憶装置
３０  通信インターフェス
４０  ＲＯＭ
４１  メインプログラム
４２  翻訳プログラム
４３  メモ帳プログラム
４４  金種計算プログラム
５０  ファイル
５１  翻訳辞書ファイル
５２  翻訳用例ファイル
５３  メモ帳ファイル
５４  金種テーブル
５５  同一通貨国テーブル
５６  画像ファイル
６０  ＲＡＭ
６１  対象国メモリ
６２  対象金額メモリ
６３  金種計算メモリ
６４  合計金額メモリ
６５  金額入力フラグ
６６  枚数選択値メモリ
６７  ＭａｘレコードＮｏ．メモリ
６８  レコードカウンタ
６９  作業域メモリ
【図１】
2004206359.tif 000003
【図２】
2004206359.tif 000004
【図３】
2004206359.tif 000005
【図４】
2004206359.tif 000006
【図５】
2004206359.tif 000007
【図６】
2004206359.tif 000008
【図７】
2004206359.tif 000009
【図８】
2004206359.tif 000010
【図９】
2004206359.tif 000011
【図１０】
2004206359.tif 000012
【図１１】
2004206359.tif 000013
【図１２】
2004206359.tif 000014
【図１３】
2004206359.tif 000015
【図１４】
2004206359.tif 000016
【図１５】
2004206359.tif 000017
【図１６】
2004206359.tif 000018
【図１７】
2004206359.tif 000019
【図１８】
2004206359.tif 000020
【図１９】
2004206359.tif 000021
【図２０】
2004206359.tif 000022
【図２１】
2004206359.tif 000023
【図２２】
2004206359.tif 000024
【図２３】
2004206359.tif 000025
【図２４】
2004206359.tif 000026
【図２５】
2004206359.tif 000027
【図２６】
2004206359.tif 000028
【図２７】
2004206359.tif 000029
【図２８】
2004206359.tif 000030
【図２９】
2004206359.tif 000031